(57)【要約】      （修正有）【課題】  広告付きホームページ（ＨＰ）を簡単に作成でき、広告情報が自動表示されるＨＰ作成機能を有するサーバ装置及びこれを用いた広告情報提供システムを提供する。【解決手段】  ＨＰ編集データをＨＴＭＬ文書に変換し、ＨＰ情報を作成するＨＰ作成処理部と、前記作成されたＨＰ情報が表示されるときに、当該ＨＰ中に含まれる広告挿入枠を作成して前記ＨＰ情報中に含ませる広告挿入枠作成処理部と、前記作成されたＨＰへのアクセスを取得した際に、前記作成されたＨＰ情報に基づきＨＰを表示するＨＰ表示手段と、前記作成されたＨＰへのアクセスを取得した際に、前記広告挿入枠に挿入される広告情報を取得すべく広告取得要求情報を出力する広告情報取得要求手段と、取得した広告情報を前記表示されるＨＰの広告挿入枠に挿入して表示する広告情報表示手段とを備えている広告情報が自動表示されるＨＰ作成機能を有するサーバ装置。【選択図】  図１
2006260268.tif 000002
【特許請求の範囲】
【請求項１】
ホームページのメニューを構成する複数の部品が格納されている部品データベースと、
当該複数の部品の一つ一つと組み合わされてホームページのメニューを構成する複数のパラメータが格納されているパラメータデータベースと、
情報取得部で取得した、前記部品データベースの中から選択する部品に関する情報と、当該選択する部品に組み合わせるパラメータとして前記パラメータデータベースから選択するパラメータに関する情報とに基づき、当該選択された部品とパラメータとを前記部品データベース及びパラメータデータベースから取り出して組み合わせ、これをホームページ編集データとしてホームページ編集データデータベースに格納するホームページ編集データ作成処理部と、
当該ホームページ編集データをＨＴＭＬ文書に変換し、前記ホームページ編集データに対応するメニューを備えたホームページ情報を作成し、ホームページ情報データベースに格納するホームページ作成処理部と、
前記ホームページ作成処理部が行うホームページ情報作成処理の際に、前記作成されたホームページ情報が表示されるときに、当該ホームページ中に含まれる広告挿入枠を作成して前記ホームページ情報中に含ませる広告挿入枠作成処理部と、
前記作成されたホームページへのアクセスを情報取得部で取得した際に、前記作成されたホームページ情報に基づきホームページを表示するホームページ表示手段と、
前記作成されたホームページへのアクセスを情報取得部で取得した際に、前記広告挿入枠に挿入される広告情報を取得すべく広告取得要求情報を情報出力部を介して出力する広告情報取得要求手段と、
情報取得部で取得した広告情報を前記表示されるホームページの広告挿入枠に挿入して表示する広告情報表示手段と
を備えていることを特徴とする広告情報が自動表示されるホームページ作成機能を有するサーバ装置。
【請求項２】
情報取得部でホームページへのアクセスを取得した際に、アクセスしてきた端末の種類を特定する端末特定手段を備えていることを特徴とする請求項１記載の広告情報が自動表示されるホームページ作成機能を有するサーバ装置。
【請求項３】
情報出力部を介して広告取得要求情報が出力される際に、前記端末特定手段で特定された前記アクセスしてきた端末の種類に関する情報を当該広告取得要求情報に付帯させる端末種類情報出力手段を備えていることを特徴とする請求項２記載の広告情報が自動表示されるホームページ作成機能を有するサーバ装置。
【請求項４】
請求項１乃至３のいずれか一項記載のサーバ装置及び、広告情報が格納されている第二の広告情報データベースを備えていて前記サーバ装置とネットワークで接続され、情報取得部で取得した広告取得要求情報に基づき、当該第二の広告情報データベースに格納されている広告情報を当該広告取得要求情報を送信してきた前記サーバ装置へ送信する広告情報送信出力手段を備えている第二のサーバ装置とからなる広告情報提供システム。
【請求項５】
請求項１記載のサーバ装置は、情報取得部でホームページへのアクセスを取得した際に、アクセスしてきた端末の種類を特定する情報を、前記情報出力部から出力される広告取得要求情報に付帯させる端末種類特定情報転送処理部を備えており、第二のサーバ装置は情報取得部で取得した広告取得要求情報に付帯している前記アクセスしてきた端末の種類を特定する情報に基づいて、前記アクセスしてきた端末の種類を特定する第二の端末特定手段を備えている
ことを特徴とする請求項４記載の広告情報提供システム。
【請求項６】
第二のサーバ装置は、情報取得部で取得した広告取得要求情報に付帯している前記端末の種類に関する情報又は前記第二の端末特定手段で特定された前記端末の種類に関する情報に基づき、当該端末の種類に適合する広告情報を前記広告情報送信出力手段によって送信する広告情報として前記第二の広告情報データベースから取り出す広告情報抽出手段を更に備えていることを特徴とする請求項４又は５記載の広告情報提供システム。
【請求項７】
請求項１乃至３のいずれか一項記載のサーバ装置は、第二のサーバ装置から取得した広告情報を格納しておく広告情報データベースを備えており、広告情報取得要求手段により情報出力部を介して広告取得要求情報を出力したにもかかわらず広告情報を取得できない場合に、当該広告データベースに格納されている広告情報を、前記表示されるホームページの広告挿入枠に挿入して表示する第二の広告情報表示手段を備えていることを特徴とする請求項４乃至６のいずれか一項記載の広告情報提供システム。
【請求項８】
第二のサーバ装置は、広告情報が格納されている第三の広告情報データベースを備えている第三のサーバ装置とネットワークで接続されており、情報取得部で、当該第三のサーバ装置から広告情報を取得した際に、当該取得した広告情報を、前記サーバ装置によって表示されるホームページ情報に適合するように変換して、前記第二の広告情報データベースに格納する広告情報変換手段を備えていることを特徴とする請求項４乃至７のいずれか一項記載の広告情報提供システム。
【発明の詳細な説明】
【技術分野】
【０００１】
この発明は、広告情報が自動表示されるホームページ作成機能を有するサーバ装置及びこれを用いた広告情報提供システムに関する。
【背景技術】
【０００２】
インターネットなどを始めとしたネットワーク環境が拡充するに連れて、個人が自分でホームページ（以下、本明細書、図面において「ＨＰ」と表すことがある）を開設することが多くなっている。
【０００３】
また、インターネットにアクセス可能な高機能の携帯電話の普及が進む中で、携帯電話の利用方法の一つとして、携帯電話からインターネットにアクセスしてＨＰを閲覧するものが増えている。
【０００４】
このようにＨＰが閲覧される機会が増加し、閲覧する人も増加する中で、ＨＰを法人などだけでなく、個人でも開設する動きが益々進んでいる。ここで、作成したＨＰを公開するためには、インターネットに接続されたプロバイダのサーバ上に作成したＨＰをアップロードし、公開する必要がある。
【０００５】
このようなＨＰ作成、公開を支援することを目的として、ＨＰの作成を支援するのみならず、作製したＨＰのアップロードをも支援するＨＰ開設のためのアプリケーションが多数市販されている。
【０００６】
このような市販のアプリケーションを使用してＨＰを開設し、アップロードする場合には、それ相応の費用負担が必要になる。
【０００７】
一方、広告情報をインターネットを介して、前記のような高機能の携帯電話所持者に閲覧してもらいたいと考えている広告提供者からすれば、前記のように多数開設されるＨＰに広告情報を掲載することができれば便利である。
【０００８】
そこで、ＨＰの作成及び公開といった一連の手順を容易に行うことを可能にし、その一方で、前記のように個人などが多数開設するＨＰに広告を掲載して広告掲載料を当該ＨＰ開設者に支払い、前記のような高機能の携帯電話所持者など多数のＨＰ閲覧者に広告情報が閲覧されることを可能にする提案がなされている（例えば、特開２００２−１１７１５６号公報）
【特許文献１】特開２００２−１１７１５６号公報
【発明の開示】
【発明が解決しようとする課題】
【０００９】
広告付きＨＰを作成する際には、広告をつける作業が広告会社ごとに要求され、手間がかかるのが一般的であった。また、静的なＨＰでは広告を一度貼り付けると異なる広告を割り当てることが難しかった。更に、広告主が替わるとか、広告発行の方式が変更される等の移行中は広告が配信されなくなる、広告サーバがダウン等していると広告が配信されなくなる、という問題があった。
【００１０】
そこで、この発明は、広告付きＨＰを簡単に作成することができ、異なる広告の割り当てを簡単に行うことが可能で、広告主の変更や、広告発行方式の変更が合っても、継続的に広告付きＨＰへの広告配信が可能な、広告情報が自動表示されるホームページ作成機能を有するサーバ装置及びこれを用いた広告情報提供システムを提供することを目的としている。
【課題を解決するための手段】
【００１１】
前記目的を達成するため、この発明が提案する広告情報提供システムは以下の機能を有するサーバ装置からなるもので、この本発明のホームページ作成機能を有するサーバ装置は、インターネット等の有線又は無線のネットワークに接続可能なコンピュータによって実現されている。
【００１２】
このサーバ装置は、パーソナルコンピュータや、携帯電話、ＰＤＡ等によって実現されるクライアントの端末とインターネット等の有線又は無線のネットワークを介して双方向通信可能に接続されるものであり、また広告情報を配信するサーバ装置である第二のサーバ装置とインターネット等の有線又は無線のネットワークを介して双方向通信可能に接続される。また、前記の広告情報を配信するサーバ装置である第二のサーバ装置は、広告情報を配信する広告主のサーバ装置である第三のサーバ装置とインターネット等の有線又は無線のネットワークを介して双方向通信可能に接続される。
【００１３】
本発明のホームページ作成機能を有するサーバ装置のデータベース（以下、本明細書、図面において「ＤＢ」と表示することがある）には、部品データベース、パラメータデータベース、ホームページ編集データデータベース、ホームページ情報データベース、広告情報データベースが備えられている。
【００１４】
部品ＤＢは、ホームページのメニューを構成する複数の部品が格納されているデータベースで、パラメータＤＢは、部品ＤＢに格納されている複数の部品の一つ一つと組み合わされてホームページのメニューを構成する複数のパラメータが格納されているデータベースである。
【００１５】
なお、部品とは、掲示板、メールマガジン、写真館、おみくじ、チャットなど、従来公知のＨＰ一般に備えられている種々のメニューに対応し、当該メニューの機能を実現する構成要素のことであり、パラメータとは当該部品が前記の種々のメニューとして機能する際の背景、タイトル、カラーなどに対応する構成要素のことをいい、同一の部品を使用してもパラメータを変えることによって異なるメニューにすることができる。例えば、掲示板の部品を使っていても、パラメータを変更することによって、技術的な話題の掲示板にすることや、雑談の掲示板にすることができる。
【００１６】
ホームページ編集データＤＢは、以下に説明するホームページ編集データ作成処理部が行う処理動作により、部品ＤＢ及びパラメータＤＢから取り出された部品とパラメータとが組み合わされて生成されたホームページ編集データが格納されているデータベースである。
【００１７】
ホームページ情報データＤＢは、以下に説明するホームページ作成処理部が行う処理動作により作成されたホームページ情報が格納されているデータベースである。
【００１８】
広告情報ＤＢは、広告主から提供された広告情報であって、以下に説明する広告情報表示手段、第二の広告情報表示手段により、以下に説明する広告挿入枠作成処理部によって作成されているホームページの広告挿入枠に挿入される広告情報を格納しているデータベースである。
【００１９】
前記本発明のホームページ作成機能を有するサーバ装置の演算処理部は、コンピュータプログラムの指示の下に、以下に説明する処理動作を行うホームページ編集データ作成処理部、ホームページ作成処理部、広告挿入枠作成処理部、ホームページ表示手段、広告情報取得要求手段、広告情報表示手段、端末特定手段、端末種類情報出力手段、端末種類特定情報転送処理部、第二の広告情報表示手段として機能する。
【００２０】
ホームページ編集データ作成処理部は、本発明のホームページ作成機能を有するサーバ装置の情報取得部で取得した、部品ＤＢの中から選択する部品に関する情報と、当該選択する部品に組み合わせるパラメータとしてパラメータＤＢから選択するパラメータに関する情報とに基づき、当該選択された部品とパラメータとを部品ＤＢ及びパラメータＤＢから取り出して組み合わせ、これをホームページ編集データとしてホームページ編集データＤＢに格納する処理動作を行う。
【００２１】
ホームページ作成処理部は、前記のホームページ編集データをＨＴＭＬ文書に変換し、前記のホームページ編集データに対応するメニューを備えたホームページ情報を作成し、ホームページ情報ＤＢに格納する処理動作を行う。
【００２２】
広告挿入枠作成処理部は、ホームページ作成処理部が行うホームページ情報作成処理の際に、前記作成されたホームページ情報が表示されるときに、当該ホームページ中に含まれる広告挿入枠を作成して前記ホームページ情報中に含ませる処理動作を行う。
【００２３】
ホームページ表示手段は、前記作成されたホームページへのアクセスをサーバ装置の情報取得部で取得した際に、前記作成されたホームページ情報に基づきホームページを表示する処理動作を行う。
【００２４】
広告情報取得要求手段は、前記作成されたホームページへのアクセスを本発明のホームページ作成機能を有するサーバ装置の情報取得部で取得した際に、前記広告挿入枠に挿入される広告情報を取得すべく広告取得要求情報をサーバ装置の情報出力部を介して出力する処理動作を行う。
【００２５】
広告情報表示手段は、本発明のホームページ作成機能を有するサーバ装置の情報取得部で取得した広告情報を前記表示されるホームページの広告挿入枠に挿入して表示する処理動作を行う。
【００２６】
端末特定手段は、本発明のホームページ作成機能を有するサーバ装置の情報取得部でホームページへのアクセスを取得した際に、アクセスしてきた端末の種類（例えば、パーソナルコンピュータであるか、携帯電話であるか、携帯電話であれば、その機能を特定する製造メーカー、機種などの種類）を特定する処理動作を行う。
【００２７】
端末種類情報出力手段は、本発明のホームページ作成機能を有するサーバ装置の情報出力部を介して広告取得要求情報が出力される際に、前記端末特定手段で特定された前記アクセスしてきた端末の種類に関する情報を当該広告取得要求情報に付帯させる処理動作を行うコンピュータの処理動作部である。
【００２８】
本発明が提案する広告情報提供システムにおいては、前述したように、本発明のホームページ作成機能を有するサーバ装置が、以下の構成からなる第二のサーバ装置とインターネット等の有線又は無線のネットワークで接続されている。
【００２９】
第二のサーバ装置は、広告情報が格納されている第二の広告情報ＤＢを備えており、また、第二のサーバ装置２の演算処理部は、コンピュータプログラムに従って、以下に説明する広告情報送信出力手段として機能する。
【００３０】
ここで、第二の広告情報ＤＢは、第二のサーバ装置が備えているデータベースに備えられているものであり、広告主から提供され、ホームページ作成機能を有するサーバ装置から送信されてきた広告取得要求情報に基づき、以下に説明する広告情報送信出力手段によって当該サーバ装置へ送信し、前述したホームページの広告挿入枠に挿入される広告情報、あるいは、当該サーバ装置の広告情報ＤＢに格納されることになる広告情報を格納している。
【００３１】
広告情報送信出力手段は、ネットワークを介して前述した本発明のホームページ作成機能を有するサーバ装置から送信されてきた広告取得要求情報を第二のサーバ装置の情報取得部が取得したときに、当該広告取得要求情報に基づき、当該広告取得要求情報を送信してきた前記本発明のホームページ作成機能を有するサーバ装置へ第二の広告情報ＤＢに格納されている広告情報を送信する処理動作を行う。
【００３２】
かかる本発明の広告情報提供システムにおいて、前述した本発明のホームページ作成機能を有するサーバ装置及び前記の第二のサーバ装置における演算処理部は、コンピュータプログラムに従って、後述する処理動作を行う端末種類特定情報転送処理部、第二の端末特定手段として、それぞれ、機能する。
【００３３】
ホームページ作成機能を有するサーバ装置が備えている端末種類特定情報転送処理部は、ホームページ作成機能を有するサーバ装置の情報取得部でホームページへのアクセスを取得した際に、アクセスしてきた端末の種類を特定する情報を、当該サーバ装置の情報出力部から出力される広告取得要求情報に付帯させる処理動作を行う。
【００３４】
第二のサーバ装置が備えている第二の端末特定手段は、第二のサーバ装置の情報取得部で取得した広告取得要求情報に付帯している前記アクセスしてきた端末の種類を特定する情報に基づいて、前記アクセスしてきた端末の種類を特定する処理動作を行う。
【００３５】
第二のサーバ装置の演算処理部は、コンピュータプログラムに従って、更に、以下に説明する広告情報抽出手段として機能する。
【００３６】
この広告情報抽出手段は、第二のサーバ装置の情報取得部で取得した広告取得要求情報に付帯している前記端末の種類に関する情報又は前記第二の端末特定手段で特定された前記端末の種類に関する情報に基づき、当該端末の種類に適合する広告情報を広告情報送信出力手段によって送信する広告情報として第二の広告情報ＤＢから取り出す処理動作を行う。
【００３７】
更に、前述した本発明のホームページ作成機能を有するサーバ装置は、そのデータベースに広告情報ＤＢを備え、当該サーバ装置の演算処理部は、コンピュータプログラムに基づき以下の処理動作を行う第二の広告情報表示手段として機能するようになっている。
【００３８】
第二の広告情報表示手段は、本発明のホームページ作成機能を有するサーバ装置の広告情報取得要求手段により情報出力部を介して広告取得要求情報を出力したにもかかわらず当該サーバ装置が広告情報を取得できない場合に、広告情報ＤＢに格納されている広告情報を、前記表示されるホームページの広告挿入枠に挿入して表示する処理動作を行う。
【００３９】
なお、本発明の広告情報提供システムにおいては、前述したように、前記の第二のサーバ装置が、以下の構成からなる第三のサーバ装置とインターネット等の有線又は無線のネットワークで接続されている。
【００４０】
この第三のサーバ装置は、そのデータベースに、第三の広告情報ＤＢを備えている。
【００４１】
そして、第二のサーバ装置の演算処理部は、コンピュータプログラムに基づき以下の処理動作を行う広告情報変換手段として機能するようになっている。
【００４２】
広告情報変換手段は、第二のサーバ装置の情報取得部で、第三のサーバ装置から広告情報を取得した際に、当該取得した広告情報を、前述した本発明のホームページ作成機能を有するサーバ装置によって表示されるホームページ情報に適合するように変換して、第二のサーバ装置の第二の広告情報データベースに格納する処理動作を行う。
【発明の効果】
【００４３】
この発明によれば、広告付きＨＰを簡単に作成することができ、異なる広告の割り当てを簡単に行うことが可能で、広告主の変更や、広告発行方式の変更があっても、継続的に広告付きＨＰへの広告配信が可能な、広告情報が自動表示されるホームページ作成機能を有するサーバ装置及びこれを用いた広告情報提供システムを提供することができる。
【発明を実施するための最良の形態】
【００４４】
以下、添付図面を参照して本発明の好ましい実施形態を説明する。
【００４５】
本発明のホームページ作成機能を有するサーバ装置１は、インターネット等の有線又は無線のネットワークに接続可能なコンピュータによって実現されている。
【００４６】
このサーバ装置１は、ネットワークに接続されて情報の授受を行う情報取得部４、情報出力部５、ＣＰＵなどによって構成される演算処理部６、ＲＯＭ７、ＲＡＭ８などと、データベース１００とを備えている。
【００４７】
このサーバ装置１は、図１図示のように、パーソナルコンピュータや、携帯電話、ＰＤＡ等によって実現されるクライアントの端末４０１〜４０６とインターネット等の有線又は無線のネットワークを介して双方向通信可能に接続されるものであり、また広告情報を配信するサーバ装置である第二のサーバ装置２とインターネット等の有線又は無線のネットワークを介して双方向通信可能に接続される。また、前記の広告情報を配信するサーバ装置である第二のサーバ装置２は、広告情報を配信する広告主のサーバ装置である第三のサーバ装置３とインターネット等の有線又は無線のネットワークを介して双方向通信可能に接続される。
【００４８】
データベース１００には、部品データベース１０１、パラメータデータベース１０２、ホームページ編集データデータベース１０３、ホームページ情報データベース１０４、広告情報データベース１０５が備えられている。
【００４９】
部品ＤＢ１０１は、ホームページのメニューを構成する複数の部品が格納されているデータベースである。
【００５０】
パラメータＤＢ１０２は、部品ＤＢ１０１に格納されている複数の部品の一つ一つと組み合わされてホームページのメニューを構成する複数のパラメータが格納されているデータベースである。
【００５１】
ここで、部品とは、掲示板、メールマガジン、写真館、おみくじ、チャットなど、従来公知のＨＰ一般に備えられている種々のメニューに対応し、当該メニューの機能を実現する構成要素のことであり、パラメータとは当該部品が前記の種々のメニューとして機能する際の背景、タイトル、カラーなどに対応する構成要素のことをいう。
【００５２】
同一の部品を使用してもパラメータを変えることによって異なるメニューにすることができる。例えば、掲示板の部品を使っていても、パラメータを変更することによって、技術的な話題の掲示板にすることや、雑談の掲示板にすることができる。
【００５３】
ホームページ編集データＤＢ１０３は、以下に説明するホームページ編集データ作成処理部１０が行う処理動作により、部品ＤＢ１０１及びパラメータＤＢ１０２から取り出された部品とパラメータとが組み合わされて生成されたホームページ編集データが格納されているデータベースである。
【００５４】
ホームページ情報データＤＢ１０４は、以下に説明するホームページ作成処理部１１が行う処理動作により作成されたホームページ情報が格納されているデータベースである。
【００５５】
広告情報ＤＢ１０５は、広告主から提供された広告情報であって、以下に説明する広告情報表示手段１５、第二の広告情報表示手段により、前記のように広告挿入枠作成処理部１２によって作成されているホームページの広告挿入枠に挿入される広告情報を格納しているデータベースである。
【００５６】
前記の演算処理部６は、コンピュータプログラムの指示の下に、以下に説明する処理動作を行うホームページ編集データ作成処理部１０、ホームページ作成処理部１１、広告挿入枠作成処理部１２、ホームページ表示手段１３、広告情報取得要求手段１４、広告情報表示手段１５、端末特定手段１６、端末種類情報出力手段１７、端末種類特定情報転送処理部１８、第二の広告情報表示手段１９として機能する。
【００５７】
ホームページ編集データ作成処理部１０は、情報取得部４で取得した、部品ＤＢ１０１の中から選択する部品に関する情報と、当該選択する部品に組み合わせるパラメータとしてパラメータＤＢ１０２から選択するパラメータに関する情報とに基づき、当該選択された部品とパラメータとを部品ＤＢ１０１及びパラメータＤＢ１０２から取り出して組み合わせ、これをホームページ編集データとしてホームページ編集データＤＢ１０３に格納する処理動作を行うコンピュータの処理動作部である。
【００５８】
ホームページ作成処理部１１は、前記のホームページ編集データをＨＴＭＬ文書に変換し、前記のホームページ編集データに対応するメニューを備えたホームページ情報を作成し、ホームページ情報ＤＢ１０４に格納する処理動作を行うコンピュータの処理動作部である。
【００５９】
広告挿入枠作成処理部１２は、ホームページ作成処理部１１が行うホームページ情報作成処理の際に、前記作成されたホームページ情報が表示されるときに、当該ホームページ中に含まれる広告挿入枠を作成して前記ホームページ情報中に含ませる処理動作を行うコンピュータの処理動作部である。
【００６０】
ホームページ表示手段１３は、前記作成されたホームページへのアクセスをサーバ装置１の情報取得部４で取得した際に、前記作成されたホームページ情報に基づきホームページを表示する処理動作を行うコンピュータの処理動作部である。
【００６１】
広告情報取得要求手段１４は、前記作成されたホームページへのアクセスをサーバ装置１の情報取得部４で取得した際に、前記広告挿入枠に挿入される広告情報を取得すべく広告取得要求情報をサーバ装置１の情報出力部５を介して出力する処理動作を行うコンピュータの処理動作部である。
【００６２】
広告情報表示手段１５は、サーバ装置１の情報取得部４で取得した広告情報を前記表示されるホームページの広告挿入枠に挿入して表示する処理動作を行うコンピュータの処理動作部である。
【００６３】
端末特定手段１６は、サーバ装置１の情報取得部４でホームページへのアクセスを取得した際に、アクセスしてきた端末の種類（例えば、パーソナルコンピュータであるか、携帯電話であるか、携帯電話であれば、その機能を特定する製造メーカー、機種などの種類）を特定する処理動作を行うコンピュータの処理動作部である。
【００６４】
端末種類情報出力手段１７は、サーバ装置１の情報出力部５を介して広告取得要求情報が出力される際に、前記端末特定手段１６で特定された前記アクセスしてきた端末の種類に関する情報を当該広告取得要求情報に付帯させる処理動作を行うコンピュータの処理動作部である。
【００６５】
本発明が提案する広告情報提供システムにおいては、前述した本発明のホームページ作成機能を有するサーバ装置１が、以下の構成からなる第二のサーバ装置２とインターネット等の有線又は無線のネットワークで接続されている。
【００６６】
第二のサーバ装置２は、広告情報が格納されている第二の広告情報ＤＢ２０１を備えており、また、第二のサーバ装置２の演算処理部６ａは、コンピュータプログラムに従って、以下に説明する広告情報送信出力手段２０として機能する。
【００６７】
ここで、第二の広告情報ＤＢ２０１は、第二のサーバ装置２が備えているデータベース２００に備えられているものであり、広告主から提供され、ホームページ作成機能を有するサーバ装置１から送信されてきた広告取得要求情報に基づき、以下に説明する広告情報送信出力手段２０によってサーバ装置１へ送信し、前述したホームページの広告挿入枠に挿入される広告情報、あるいは、サーバ装置１の広告情報ＤＢ１０５に格納されることになる広告情報を格納している。
【００６８】
広告情報送信出力手段２０は、ネットワークを介して前述した本発明のホームページ作成機能を有するサーバ装置１から送信されてきた広告取得要求情報を第二のサーバ装置２の情報取得部４ａが取得したときに、当該広告取得要求情報に基づき、当該広告取得要求情報を送信してきた前記本発明のホームページ作成機能を有するサーバ装置１へ第二の広告情報ＤＢ２０１に格納されている広告情報を送信する処理動作を行うコンピュータの処理動作部である。
【００６９】
かかる本発明の広告情報提供システムにおいて、前述した本発明のホームページ作成機能を有するサーバ装置１及び前記の第二のサーバ装置２における演算処理部６、６ａは、コンピュータプログラムに従って、後述する処理動作を行う端末種類特定情報転送処理部１８、第二の端末特定手段２１として、それぞれ、機能する。
【００７０】
ホームページ作成機能を有するサーバ装置１が備えている端末種類特定情報転送処理部１８は、サーバ装置１の情報取得部４でホームページへのアクセスを取得した際に、アクセスしてきた端末４０１〜４０６等の種類を特定する情報を、サーバ装置１の情報出力部５から出力される広告取得要求情報に付帯させる処理動作を行うコンピュータの処理動作部である。
【００７１】
第二のサーバ装置２が備えている第二の端末特定手段２１は、第二のサーバ装置２１の情報取得部４ａで取得した広告取得要求情報に付帯している前記アクセスしてきた端末４０１〜４０６等の種類を特定する情報に基づいて、前記アクセスしてきた端末４０１~４０６の種類を特定する処理動作を行うコンピュータの処理動作部である。
【００７２】
第二のサーバ装置２１の演算処理部６ａは、コンピュータプログラムに従って、更に、以下に説明する広告情報抽出手段２２として機能する。
【００７３】
この広告情報抽出手段２２は、第二のサーバ装置２の情報取得部４ａで取得した広告取得要求情報に付帯している前記端末４０１〜４０６の種類に関する情報又は前記第二の端末特定手段２１で特定された前記端末４０１〜４０６の種類に関する情報に基づき、当該端末４０１〜４０６の種類に適合する広告情報を広告情報送信出力手段２０によって送信する広告情報として第二の広告情報ＤＢ２０１から取り出す処理動作を行うコンピュータの処理動作部である。
【００７４】
更に、前述した本発明のホームページ作成機能を有するサーバ装置１は、データベース１００に広告情報ＤＢ１０５を備え、サーバ装置１の演算処理部６は、コンピュータプログラムに基づき以下の処理動作を行う第二の広告情報表示手段１９として機能するようになっている。
【００７５】
第二の広告情報表示手段１９は、本発明のホームページ作成機能を有するサーバ装置１の広告情報取得要求手段１４により情報出力部５を介して広告取得要求情報を出力したにもかかわらずサーバ装置１が広告情報を取得できない場合に、広告情報ＤＢ１０５に格納されている広告情報を、前記表示されるホームページの広告挿入枠に挿入して表示する処理動作を行うコンピュータの処理動作部である。
【００７６】
なお、本発明の広告情報提供システムにおいては、前記の第二のサーバ装置２が、以下の構成からなる第三のサーバ装置３とインターネット等の有線又は無線のネットワークで接続されている。
【００７７】
この第三のサーバ装置３は、そのデータベース３００に、第三の広告情報ＤＢ３０１を備えている。
【００７８】
そして、第二のサーバ装置２の演算処理部６ａは、コンピュータプログラムに基づき以下の処理動作を行う広告情報変換手段２３として機能するようになっている。
【００７９】
広告情報変換手段２３は、第二のサーバ装置２の情報取得部４ａで、第三のサーバ装置３から広告情報を取得した際に、当該取得した広告情報を、前述した本発明のホームページ作成機能を有するサーバ装置１によって表示されるホームページ情報に適合するように変換して、第二のサーバ装置２の第二の広告情報データベース２０２に格納する処理動作を行うコンピュータの処理動作部である。
【００８０】
（ホームページの作成、公開）
次に、本発明のホームページ作成機能を有するサーバ装置１によって、ＨＰを作成し、公開するプロセスについて図４を用いて説明する。
【００８１】
例えば、本発明の広告情報提供システムを提供する事業主に当該システムによるサービスの提供を申し込んだオーナーは、本発明の広告情報提供システムを提供する事業主から本発明のホームページ作成機能を有するサーバ装置１を購入、あるいはレンタル等し、当該サーバ装置１を、インターネット等の有線または無線のネットワークに設置する。
【００８２】
本発明のホームページ作成機能を有するサーバ装置１によってＨＰを作成し、公開したいと考えているユーザーは、例えば、自己のパーソナルコンピュータなどから、前記のように、オーナーがネットワーク上に設置したサーバ装置１にアクセスし、ＨＰ開設作業をスタートさせる。
【００８３】
まず、ＩＤ登録などの所定の認証手続を行った後（ステップ４０１）、部品ＤＢ１０１の中から選択する部品に関する情報と、当該選択する部品に組み合わせるパラメータとしてパラメータＤＢ１０２から選択するパラメータに関する情報とを自己のパーソナルコンピュータからサーバ装置１へ送信する（ステップ４０２）。
【００８４】
サーバ装置１では、その情報取得部４で前記の情報を取得すると、ホームページ編集データ作成処理部１０が当該情報に基づき、当該選択された部品とパラメータとを部品ＤＢ１０１及びパラメータＤＢ１０２から取り出して組み合わせ、これをホームページ編集データとしてホームページ編集データＤＢ１０３に格納する処理動作を行う（ステップ４０３）（図４及び図５）。
【００８５】
本発明のサーバ装置１に備えられている部品ＤＢ１０１には、ホームページのメニューを構成する複数の部品、すなわち、掲示板、メールマガジン、写真館、おみくじ、チャットなど、従来公知のＨＰ一般に備えられている種々のメニューに対応し、当該メニューの機能を実現する構成要素が格納されている。また、パラメータＤＢ１０２には、部品ＤＢ１０１に格納されている複数の部品の一つ一つと組み合わされてホームページのメニューを構成する複数のパラメータ、例えば、当該部品が前記の種々のメニューとして機能する際の背景、タイトル、カラーなどに対応する構成要素が格納されている。ホームページ編集データＤＢ１０３には、前記のようにホームページ編集データ作成処理部１０が行う処理動作により、部品ＤＢ１０１及びパラメータＤＢ１０２から取り出された部品とパラメータとが組み合わされて生成されたホームページ編集データが格納されている（図５）。
【００８６】
そこで、ステップ４０３において、ホームページ編集データ作成処理部１０がサーバ装置１の情報取得部４で取得した前記の情報に基づき、前期のように選択された部品とパラメータとを部品ＤＢ１０１及びパラメータＤＢ１０２から取り出して組み合わせ、これをホームページ編集データとしてホームページ編集データＤＢ１０３に格納する（図５）。
【００８７】
次に、ホームページ作成処理部１１により、ホームページ編集データＤＢ１０３に格納されている前記のホームページ編集データをＨＴＭＬ文書に変換し、前記のホームページ編集データに対応するメニューを備えたホームページ情報を作成し、ホームページ情報ＤＢ１０４に格納する処理が行われる（ステップ４０４）（図４及び図６）。
【００８８】
サーバ装置１に備えられているホームページ情報データＤＢ１０４は、このようにホームページ作成処理部１１が行う処理動作により作成されたホームページ情報が格納されているデータベースである。
【００８９】
本発明のサーバ装置においては、同一の部品を使用してもパラメータを変えることによって異なるメニューを作成することができる。例えば、掲示板の部品を使っていても、パラメータを変更することによって、技術的な話題の掲示板や、雑談の掲示板が作製される。前記の部品には、いろいろなメニューを作るための機能が備えられており、本発明のサーバ装置１にアクセスしてＨＰを作製する者は、部品やパラメータを選択するだけで高機能なＨＰを作成することができる。また、前述したように、ＨＴＭＬ文書を知らなくてもＨＰを作成することができる。
【００９０】
前記のホームページ作成処理部１１がホームページ情報作成処理を行う際に、広告挿入枠作成処理部１２が、前記のように作成されたホームページ情報が表示されるときに、当該ホームページ中に含まれる広告挿入枠を作成して前記ホームページ情報中に含ませる処理動作を行う（ステップ４０５）（図４及び図６）。
【００９１】
以上のプロセスによって、ＨＰが完成する。
【００９２】
こうして完成されたＨＰを閲覧する者が、その端末４０１、・・・・、４０６などからネットワークを介してサーバ装置１にアクセスし、サーバ装置１の情報取得部４でこれを取得すると、ホームページ表示手段１３が、前記のようにして作成されホームページ情報データＤＢ１０４に格納されているホームページ情報に基づきＨＰを表示する処理を行う（ステップ４０５）。
【００９３】
また、完成されたＨＰを閲覧する者が、その端末４０１、・・・・、４０６などからネットワークを介してサーバ装置１にアクセスし、サーバ装置１の情報取得部４でこれを取得すると、広告情報取得要求手段１４が、前記広告挿入枠に挿入される広告情報を取得すべく広告取得要求情報をサーバ装置１の情報出力部５を介して出力する処理動作を行う（ステップ４０６）。
【００９４】
そして、広告情報表示手段１５が、サーバ装置１の情報取得部４で取得した広告情報を前記表示されるホームページの広告挿入枠に挿入して表示する処理を行う（ステップ４０７）。
【００９５】
こうして、前記のように作製されたＨＰの公開（広告付きＷＥＢページの公開）が行われる。
【００９６】
（公開されるＨＰの広告挿入枠への広告情報の挿入）
本発明の広告情報提供システムにおいては、前述した本発明のホームページ作成機能を有するサーバ装置１が、図１図示のように、第二のサーバ装置２とインターネット等の有線又は無線のネットワークで接続されている。
【００９７】
第二のサーバ装置２は、例えば、本発明の広告情報提供システムを提供する事業主がインターネット等の有線又は無線のネットワーク上に設置するものであって、図３図示のように、広告情報が格納されている第二の広告情報データベース２０１を備えている。そして、この第二のサーバ装置２の演算処理部６ａは、コンピュータプログラムに従って、以下に説明する広告情報送信出力手段２０として機能する。
【００９８】
すなわち、ネットワークを介して、サーバ装置１から前述したように送信されてきた広告取得要求情報を、第二のサーバ装置２の情報取得部４ａが取得すると、広告情報送信出力手段２０が当該広告取得要求情報に基づき、当該広告取得要求情報を送信してきた前記本発明のサーバ装置１へ第二の広告情報データベース２０１に格納されている広告情報を送信する処理動作を行う。
【００９９】
このように、第二のサーバ装置２が具備しているデータベース２００に備えられている第二の広告情報ＤＢ２０１は、広告主から提供され、ホームページ作成機能を有するサーバ装置１から送信されてきた広告取得要求情報に基づき、前記のように広告情報送信出力手段２０によってサーバ装置１へ送信され、前述したホームページの広告挿入枠に挿入される広告情報、あるいは、サーバ装置１の広告情報ＤＢ１０５に格納されることになる広告情報を格納しているＤＢである。
【０１００】
このプロセスを、図７を用いて説明すると以下の通りである。
【０１０１】
クライアントがその端末４０１、・・・、４０６からネットワークを介して第一のサーバ装置１にアクセスし、ホームページの閲覧を希望すすると（ステップ７０１）、サーバ装置１の広告情報取得要求手段１４が、前記の広告挿入枠に挿入される広告情報を取得すべく広告取得要求情報をサーバ装置１の情報出力部５を介して第２のサーバ装置２へ出力する（ステップ７０２）。これに応じて、第二のサーバ装置２の広告情報送信出力手段２０が当該広告取得要求情報に基づき、当該広告取得要求情報を送信してきた前記本発明のサーバ装置１へ第二の広告情報データベース２０１に格納されている広告情報を送信する（ステップ７０３）。
【０１０２】
サーバ装置１のホームページ表示手段１３による、前記のようにして作成されホームページ情報データＤＢ１０４に格納されているホームページ情報に基づくホームページを表示する処理（ステップ４０５）にあわせて、サーバ装置１の広告情報表示手段１５が、前記のように第二のサーバ装置２からネットワークを介して送られてきた広告情報を前記表示されるホームページの広告挿入枠に挿入して表示する処理を行い（ステップ４０７）、端末４０１、・・・・、４０６を操作しているクライアントは、前記のように作製されたＨＰ（広告付きＷＥＢページ）を閲覧する（ステップ７０３）。
【０１０３】
なお、サーバ装置１のホームページ表示手段１３によるホームページ情報データＤＢ１０４に格納されているホームページ情報に基づくホームページを表示する処理（ステップ４０５）と、広告情報表示手段１５による広告情報を前記表示されるホームページの広告挿入枠に挿入して表示する処理（ステップ４０７）の際に、サーバ装置１の広告情報ＤＢ１０５に、前記広告挿入枠に挿入される広告情報を登録し、保存する処理が、サーバ装置１の演算処理部６においてコンピュータプログラムの指示の下に行われる。
【０１０４】
（携帯端末の機能に適した広告情報の公開）
携帯電話を介してホームページの閲覧が行われる場合、クライアントが使用している端末４０１、・・・、４０６が有する機能に応じて、前記の広告情報を表示しやすい形式に変更しておくことが要求される。例えば、バナーサイズを縮小する等々の処理が必要になる。
【０１０５】
そこで、サーバ装置１の演算処理部６は、コンピュータプログラムにしたがって、以下のような処理動作を行う端末特定手段１６、端末種類情報出力手段１７、あるいは端末種類特定情報転送処理部１８として機能するようになっており、第二のサーバ装置２の演算処理部６ａは、コンピュータプログラムにしたがって、以下のような処理動作を行う第二の広告情報抽出手段２２、第二の端末特定手段２１として機能するようになっている。
【０１０６】
端末特定手段１６は、サーバ装置１の情報取得部４でホームページへのアクセスを取得した際に、アクセスしてきた端末４０１、・・・・、４０６の種類（例えば、パーソナルコンピュータであるか、携帯電話であるか、携帯電話であれば、その機能を特定する製造メーカー、機種などの種類）を特定する処理動作を行う。
【０１０７】
サーバ装置１における端末種類情報出力手段１７は、サーバ装置１の情報出力部５を介して広告取得要求情報が出力される際に、前記端末特定手段１６で特定された前記アクセスしてきた端末の種類に関する情報を当該広告取得要求情報に付帯させる処理動作を行う。
【０１０８】
ホームページ作成機能を有するサーバ装置１が備えている端末種類特定情報転送処理部１８は、サーバ装置１の情報取得部４でホームページへのアクセスを取得した際に、アクセスしてきた端末４０１〜４０６等の種類を特定する情報を、サーバ装置１の情報出力部５から出力される広告取得要求情報に付帯させる処理動作を行う。
【０１０９】
これによって、例えば、ホームページ作成機能を有するサーバ装置１が端末特定手段１６と端末種類情報出力手段１７とを備えている場合には、サーバ装置１の情報取得部４でホームページへのアクセスを取得した際に、アクセスしてきた端末４０１、・・・・、４０６の種類（例えば、パーソナルコンピュータであるか、携帯電話であるか、携帯電話であれば、その機能を特定する製造メーカー、機種などの種類）を特定し、サーバ装置１の情報出力部５を介して広告取得要求情報が出力される際に、この特定された前記アクセスしてきた端末の種類に関する情報を当該広告取得要求情報に付帯させる処理が行われる。
【０１１０】
また、ホームページ作成機能を有するサーバ装置１が端末種類特定情報転送処理部１８を備えている場合には、サーバ装置１の情報取得部４でホームページへのアクセスを取得した際に、アクセスしてきた端末４０１〜４０６等の種類を特定する情報を、サーバ装置１の情報出力部５から出力される広告取得要求情報に付帯させる処理が行われる。
【０１１１】
一方、第二のサーバ装置２に備えられている第二の広告情報抽出手段２２は、第二のサーバ装置２の情報取得部４ａで取得した広告取得要求情報に付帯している前記端末４０１〜４０６の種類に関する情報又は前記第二の端末特定手段２１で特定された前記端末４０１〜４０６の種類に関する情報に基づき、当該端末４０１〜４０６の種類に適合する広告情報、例えば、クライアントが使用している端末４０１、・・・、４０６が有する機能に応じて、バナーサイズを縮小する等々の処理が行われ、当該クライアントが使用している端末での表示に適している形式の広告情報を広告情報送信出力手段２０によって送信する広告情報として第二の広告情報データベース２０１から取り出す処理動作を行うコンピュータの処理動作部である。
【０１１２】
そこで、例えば、ホームページ作成機能を有するサーバ装置１が端末特定手段１６と端末種類情報出力手段１７とを備えていて、サーバ装置１から第二のサーバ装置２へ送信されてきた広告取得要求情報に、サーバ装置１にアクセスしてきたクライアントの端末４０１、・・・・、４０６の種類を特定する情報が付帯させている場合には、第二のサーバ装置２に備えられている第二の広告情報抽出手段２２によって前記の処理動作が行われ、抽出された広告情報が、前記の広告情報送信出力手段２０によって、サーバ装置１に送信される。こうして、端末４０１、・・・、４０６を用いてサーバ装置１にアクセスし、ＨＰの閲覧を希望したクライアントは、自己の端末４０１等で表示されるのに適した形式の広告情報が挿入されているＨＰを閲覧することができる。
【０１１３】
なお、サーバ装置１のホームページ表示手段１３によるホームページ情報データＤＢ１０４に格納されているホームページ情報に基づくホームページを表示する処理（ステップ４０５）と、広告情報表示手段１５による広告情報を前記表示されるホームページの広告挿入枠に挿入して表示する処理（ステップ４０７）の際に、サーバ装置１の広告情報ＤＢ１０５に、前記広告挿入枠に挿入される広告情報と、サーバ装置１にアクセスしてきたクライアントの端末４０１、・・・・、４０６の種類を特定する情報とが関連づけられて登録され、保存される処理が、サーバ装置１の演算処理部６においてコンピュータプログラムの指示の下に行われる。
【０１１４】
一方、第二のサーバ装置２が備えている第二の端末特定手段２１は、第二のサーバ装置２１の情報取得部４ａで取得した広告取得要求情報に付帯している前記アクセスしてきた端末４０１〜４０６等の種類を特定する情報に基づいて、前記アクセスしてきた端末４０１~４０６の種類を特定する処理動作を行うコンピュータの処理動作部である。
【０１１５】
そこで、ホームページ作成機能を有するサーバ装置１が端末種類特定情報転送処理部１８を備えている場合には、第二のサーバ装置２が取得する広告取得要求情報に前記サーバ装置１にアクセスしてきた端末４０１〜４０６等の種類を特定する情報が付帯されているので、第二のサーバ装置２の第二の端末特定手段２１によって、当該端末４０１〜４０６等の種類を特定する情報に基づいて、前記アクセスしてきた端末４０１~４０６の種類を特定する処理が行われ、引き続いて、第二のサーバ装置２に備えられている第二の広告情報抽出手段２２によって、当該端末４０１〜４０６の種類に関する情報に基づき、当該端末４０１〜４０６の種類に適合する広告情報を広告情報送信出力手段２０によって送信する広告情報として第二の広告情報データベース２０１から取り出す処理が行われ、抽出された広告情報が、前記の広告情報送信出力手段２０によって、サーバ装置１に送信される。こうして、端末４０１、・・・、４０６を用いてサーバ装置１にアクセスし、ＨＰの閲覧を希望したクライアントは、自己の端末４０１等で表示されるのに適した形式の広告情報が挿入されているＨＰを閲覧することができる。
【０１１６】
なお、サーバ装置１のホームページ表示手段１３によるホームページ情報データＤＢ１０４に格納されているホームページ情報に基づくホームページを表示する処理（ステップ４０５）と、広告情報表示手段１５による広告情報を前記表示されるホームページの広告挿入枠に挿入して表示する処理（ステップ４０７）の際に、サーバ装置１の広告情報ＤＢ１０５に、前記広告挿入枠に挿入される広告情報と、サーバ装置１にアクセスしてきたクライアントの端末４０１、・・・・、４０６の種類を特定する情報とが関連づけられて登録され、保存される処理が、サーバ装置１の演算処理部６においてコンピュータプログラムの指示の下に行われる。
【０１１７】
（広告情報の公開用への変換、保存及びＨＰ公開に伴う広告挿入枠への挿入）
本発明の広告情報提供システムにおいては、第二のサーバ装置２が、以下の構成からなる第三のサーバ装置３とインターネット等の有線又は無線のネットワークで接続されている。この第三のサーバ装置３は、例えば、広告主が、インターネット等の有線又は無線のネットワークに設置し、当該広告主が提供する広告情報がそのデータベース３００における第三の広告情報データベース３０１に格納されているものである。
【０１１８】
そして、第二のサーバ装置２の演算処理部６ａは、コンピュータプログラムに基づき以下の処理動作を行う広告情報変換手段２３として機能するようになっている。
【０１１９】
この広告情報変換手段２３は、第二のサーバ装置２の情報取得部４ａで、第三のサーバ装置３から広告情報を取得した際に、当該取得した広告情報を、前述した本発明のホームページ作成機能を有するサーバ装置１によって表示されるホームページ情報に適合するように変換して、すなわち、ＨＰを閲覧するためにサーバ装置１にアクセスしてきたクライアントの端末４０１〜４０６の種類に適合する広告情報、例えば、クライアントが使用している端末４０１、・・・、４０６が有する機能に応じて、バナーサイズを縮小する等々の処理が行われ、当該クライアントが使用している端末での表示に適している形式の広告情報になるように変換して、第二のサーバ装置２の第二の広告情報データベース２０２に格納する処理動作を行う。
【０１２０】
この結果、例えば、図１３（ａ）図示のように、クライアントの端末４０１等からサーバ装置１にアクセスがあり、サーバ装置１から第二のサーバ装置２に広告情報を受け取りにいき、次いで、第二のサーバ装置２から第三のサーバ装置３に広告情報を受け取りにいき、第三のサーバ装置３から送出された広告情報が、第二のサーバ装置２を介してサーバ装置１へ送られ、クライアントの端末４０１等で閲覧するＨＰに当該広告情報が挿入されるようにすることもできるし、図１１図示のように、第三のサーバ装置３がダウンする等によって、第二のサーバ装置２が第三のサーバ装置３から広告情報を受け取れない場合、第二のサーバ装置２の第二の広告情報データベース２０２に格納されている広告情報を、クライアントの端末４０１等で閲覧するＨＰに挿入される広告情報にすることもできる
なお、広告主のサーバ装置である第三のサーバ装置３に、本発明の広告情報提供システムを提供している事業主のサーバ装置である第二のサーバ装置２からアクセスして広告情報を取得し、これが、第一のサーバ装置１にアクセスしたクライアントの端末４０１等において閲覧されるプロセスは、例えば、図８図示のように行われる。
【０１２１】
まず、事業主のサーバ装置である第二のサーバ装置２から広告主のサーバ装置である第三のサーバ装置３にアクセスして広告情報の取得をリクエストする（ステップ８０１）、これに応じて、第三のサーバ装置３に備えられている広告情報送信出力手段（不図示）がデータベース３００における第三の広告情報データベース３０１に格納されている広告情報を第二のサーバ装置２へ送信する（ステップ８０２）。
【０１２２】
第二のサーバ装置２においては、広告情報変換手段２３によって、第三のサーバ装置３から取得した広告情報を取得を、サーバ装置１によって表示されるホームページ情報に適合するように変換して、すなわち、ＨＰを閲覧するためにサーバ装置１にアクセスしてきたクライアントの端末４０１〜４０６の種類に適合する広告情報、例えば、クライアントが使用している端末４０１、・・・、４０６が有する機能に応じて、バナーサイズを縮小する等々の処理を行い、当該クライアントが使用している端末での表示に適している形式の広告情報になるように変換して、第二のサーバ装置２の第二の広告情報データベース２０２に格納する処理が行われる（ステップ８０３）。
【０１２３】
以降は、図７を用いて説明したのと同様のプロセスが行われる。すなわち、クライアントがその端末４０１、・・・、４０６からネットワークを介して第一のサーバ装置１にアクセスし、ホームページの閲覧を希望すると（ステップ８０４）、サーバ装置１の広告情報取得要求手段１４が、前記の広告挿入枠に挿入される広告情報を取得すべく広告取得要求情報をサーバ装置１の情報出力部５を介して第２のサーバ装置２へ出力する（ステップ８０５）。これに応じて、第二のサーバ装置２の広告情報送信出力手段２０が当該広告取得要求情報に基づき、当該広告取得要求情報を送信してきた前記本発明のサーバ装置１へ第二の広告情報データベース２０１に格納されている広告情報を送信する（ステップ８０６）。
【０１２４】
サーバ装置１のホームページ表示手段１３による、前記のようにして作成されホームページ情報データＤＢ１０４に格納されているホームページ情報に基づくホームページを表示する処理（ステップ４０５）にあわせて、サーバ装置１の広告情報表示手段１５が、前記のように第二のサーバ装置２からネットワークを介して送られてきた広告情報を前記表示されるホームページの広告挿入枠に挿入して表示する処理を行い（ステップ４０７）、端末４０１、・・・・、４０６を操作しているクライアントは、前記のように作製されたＨＰ（広告付きＷＥＢページ）を閲覧する（ステップ８０７）。
【０１２５】
（第二のサーバ装置がダウンしている場合の広告情報の公開）
本発明の広告情報提供システムにおいて、前述した本発明のホームページ作成機能を有するサーバ装置１の演算処理部６は、コンピュータプログラムに基づき以下の処理動作を行う第二の広告情報表示手段１９として機能する。
【０１２６】
この第二の広告情報表示手段１９は、本発明のホームページ作成機能を有するサーバ装置１の広告情報取得要求手段１４により情報出力部５を介して広告取得要求情報を出力したにもかかわらずサーバ装置１が広告情報を取得できない場合に、広告情報ＤＢ１０５に格納されている広告情報を、前記表示されるホームページの広告挿入枠に挿入して表示する処理を行う。
【０１２７】
この結果、例えば、図１２図示のように、クライアントの端末４０１等からサーバ装置１にアクセスがあったが、第二のサーバ装置２がダウンする等によって、サーバ装置１が第二のサーバ装置２から広告情報を受け取れない場合、サーバ装置１の広告情報データベース１０５に格納されている広告情報を、クライアントの端末４０１等で閲覧するＨＰに挿入される広告情報にすることができる。
【０１２８】
図１１、図１２で説明した本発明のシステムの機能をまとめて説明したものが図１３（ａ）〜（ｄ）である。通常は、図１３（ａ）のように、クライアントの端末４０１等からサーバ装置１にアクセスがあり、サーバ装置１から第二のサーバ装置２に広告情報を受け取りにいき、次いで、第二のサーバ装置２から第三のサーバ装置３に広告情報を受け取りにいき、第三のサーバ装置３から送出された広告情報が、第二のサーバ装置２を介してサーバ装置１へ送られ、クライアントの端末４０１等で閲覧するＨＰに当該広告情報が挿入される。
【０１２９】
この際、図１３（ｂ）図示のように、第二のサーバ装置２、サーバ装置１では、広告情報をダウン用に、第二の広告情報ＤＢ２０１、広告情報ＤＢ１０５に保存する処理が行われている。
【０１３０】
図１３（ｃ）は、第三のサーバ装置３がダウンする等によって、第二のサーバ装置２が第三のサーバ装置３から広告情報を受け取れない場合、第二のサーバ装置２の第二の広告情報ＤＢ２０１に格納されている広告情報（ダウン用の広告情報）が、クライアントの端末４０１等で閲覧するＨＰに挿入される広告情報になることを説明するものである。
【０１３１】
図１３（ｄ）は、クライアントの端末４０１等からサーバ装置１にアクセスがあったが、第二のサーバ装置２がダウンする等によって、サーバ装置１が第二のサーバ装置２から広告情報を受け取れない場合、サーバ装置１の広告情報データベース１０５に格納されている広告情報（ダウン用の広告情報）が、クライアントの端末４０１等で閲覧するＨＰに挿入される広告情報になることを説明するものである。
【０１３２】
なお、サーバ装置１の演算処理部６が、コンピュータプログラムにしたがって、以下のような処理動作を行う広告情報抽出手段１９ａとして機能するようになっている。
【０１３３】
この広告情報抽出手段１９ａは、サーバ装置１の端末特定手段１６が行う処理によって特定された、サーバ装置１にアクセスしてきた端末４０１、・・・・、４０６の種類（例えば、パーソナルコンピュータであるか、携帯電話であるか、携帯電話であれば、その機能を特定する製造メーカー、機種などの種類）に関する情報に基づき、当該端末４０１〜４０６の種類に適合する広告情報、例えば、クライアントが使用している端末４０１、・・・、４０６が有する機能に応じて、バナーサイズを縮小する等々の処理が行われ、当該クライアントが使用している端末での表示に適している形式の広告情報を広告情報表示手段１５によって広告挿入枠に挿入する広告情報として広告情報ＤＢ１０５から取り出す処理動作を行うコンピュータの処理動作部である。
【０１３４】
そこで、第二のサーバ装置２がダウンする等によって、サーバ装置１が第二のサーバ装置２から広告情報を受け取れない場合であって、サーバ装置１の広告情報データベース１０５に格納されている広告情報（ダウン用の広告情報）が、クライアントの端末４０１等で閲覧するＨＰに挿入される広告情報になる場合であっても、端末４０１、・・・、４０６を用いてサーバ装置１にアクセスし、ＨＰの閲覧を希望したクライアントは、自己の端末４０１等で表示されるのに適した形式の広告情報が挿入されているＨＰを閲覧することができる。
【０１３５】
以上、本発明の好ましい実施形態を説明したが、本発明は上記の実施形態に限定されるものではなく、特許請求の範囲の記載から把握される技術的範囲において種々の形態に変更可能である。
【０１３６】
例えば、図９、図１０は、本発明の広告情報提供システムが運用される場合の概略構成を説明するものである。本発明の広告情報提供システムにおいては、本発明のホームページ作成機能を有するサーバ装置１を、本発明の広告情報提供システムを提供する事業主から買い取ったあるいはレンタル等したユーザーが、前述したサーバ装置１をネットワークに接続可能に設置し、これにアクセスした利用者がサーバ装置１の機能を利用して簡単に自分のＨＰを作成する。このＨＰには、本発明の広告情報提供システムを提供する事業主がネットワークに接続可能に設置している第二のサーバ装置２から広告情報が提供され、前記のＨＰを閲覧しようとするクライアントがその端末４０１等からアクセスするとＨＰに自動的に前記の広告が挿入されて表示される。また、本発明の広告情報提供システムを提供する事業主は広告情報の広範囲な公開を望む広告主から有料で広告情報を集めることができる。
【０１３７】
従来ならば、自己でＨＰを作成し、公開するには技術的に種々の困難があっただけでなく、費用の面でも負担があったが、本発明の広告情報提供システムによれば、広告情報の広範囲な公開を望む広告主から有料で広告情報を集めている本発明の広告情報提供システムを提供する事業主から提供される広告情報が自動的にクライアントの閲覧するＨＰに挿入されるので、前記のサーバ装置１を本発明の広告情報提供システムを提供する事業主から買い取ったあるいはレンタル等したユーザーは、このように広告情報を公開する対価を本発明の広告情報提供システムを提供する事業主から徴収することが可能である。その結果、サーバ装置１にアクセスし、サーバ装置１の機能を利用して簡単に自分のＨＰを作成する利用者も特別な費用負担を要することなしにＨＰを作成し、公開することが可能になる。
【図面の簡単な説明】
【０１３８】
【図１】本発明の広告情報提供システムが運用される場合のシステムの概略構成の一例を説明する図。
【図２】本発明の広告情報提供システムにおけるホームページ作成機能を有するサーバ装置の概略構成を説明する図。
【図３】本発明の広告情報提供システムにおける第二のサーバ装置の概略構成を説明する図。
【図４】本発明のホームページ作成機能を有するサーバ装置によってＨＰを作成し、公開するプロセスの一例を説明するフロー図。
【図５】ホームページ編集データ作成処理部が部品とパラメータとを部品ＤＢ及びパラメータＤＢから取り出して組み合わせ、これをホームページ編集データとしてホームページ編集データＤＢに格納するプロセスの一例を説明するブロック図。
【図６】ホームページ編集データＤＢに格納されているホームページ編集データをＨＴＭＬ文書に変換し、ホームページ編集データに対応するメニューを備えたホームページ情報を作成し、ホームページ情報ＤＢに格納するプロセスの一例を説明するブロック図。
【図７】本発明の広告情報提供システムにおいて広告付きホームページが閲覧されるプロセスの一例を説明するブロック図。
【図８】本発明の広告情報提供システムにおいて広告付きホームページが閲覧されるプロセスの他の例を説明するブロック図。
【図９】本発明の広告情報提供システムが運用される場合の概略構成の一例を説明する図。
【図１０】本発明の広告情報提供システムが運用される場合の概略構成の他の例を説明する図。
【図１１】本発明の広告情報提供システムにおいて第三のサーバ装置がダウンした場合であっても広告付きホームページが閲覧されるプロセスの一例を説明するブロック図。
【図１２】本発明の広告情報提供システムにおいて第二のサーバ装置がダウンした場合であっても広告付きホームページが閲覧されるプロセスの一例を説明するブロック図。
【図１３】（ａ）〜〜（ｄ）は、本発明の広告情報提供システムにおいて第三のサーバ装置、第二のサーバ装置がダウンした場合であっても広告付きホームページが閲覧されるプロセスを説明するブロック図。
【符号の説明】
【０１３９】
１      サーバ装置（ホームページ作成機能を有するサーバ装置）
４      情報取得部
５      情報出力部
６      演算処理部
７      ＲＯＭ
８      ＲＡＭ
１０    ホームページ編集データ作成処理部
１１    ホームページ作成処理部
１２    広告挿入枠作成処理部
１３    ホームページ表示手段
１４    広告情報取得要求手段
１５    広告情報表示手段
１６    端末特定手段
１７    端末種類情報出力手段
１８    端末種類特定情報転送処理部
１９    第二の広告情報表示手段
１９ａ  広告情報抽出手段
１００  データベース
１０１  部品ＤＢ
１０２  パラメータＤＢ
１０３  ホームページ編集データＤＢ
１０４  ホームページ情報ＤＢ
１０５  広告情報ＤＢ
４０１〜４０６  クライアントの端末
２      第二のサーバ装置（広告情報を配信するサーバ装置）
４ａ    情報取得部
５ａ    情報出力部
６ａ    演算処理部
７ａ    ＲＯＭ
８ａ    ＲＡＭ
２０    広告情報送信出力手段
２１    第二の端末特定手段
２２    第二の広告情報抽出手段
２３    広告情報変換手段
２００  データベース
２０１  第二の広告情報ＤＢ
３      第三のサーバ装置（広告情報を配信する広告主のサーバ装置）
３００  データベース
３０１  第三の広告情報データベース
【図１】
2006260268.tif 000003
【図２】
2006260268.tif 000004
【図３】
2006260268.tif 000005
【図４】
2006260268.tif 000006
【図５】
2006260268.tif 000007
【図６】
2006260268.tif 000008
【図７】
2006260268.tif 000009
【図８】
2006260268.tif 000010
【図９】
2006260268.tif 000011
【図１０】
2006260268.tif 000012
【図１１】
2006260268.tif 000013
【図１２】
2006260268.tif 000014
【図１３】
2006260268.tif 000015